(57)【要約】【課題】居住空間などで使用される除湿装置において、除湿性能向上を目的とする。【解決手段】空気吸込口２と空気吹出口３を有する本体ケース１と、圧縮機６と放熱器７と膨張器８と吸熱器９とを順に連結した冷凍サイクルと、第１熱交換風路１４を流れる空気と第２熱交換風路１５を流れる空気とを熱交換する熱交換器４と、を備え、送風機５によって空気吸込口２から本体ケース１内に吸い込んだ空気を、熱交換器４の第１熱交換風路１４、吸熱器９、熱交換器４の第２熱交換風路１５、放熱器７、送風機５を介して空気吹出口３から本体ケース１外に吹き出す除湿経路２１ａと、送風機５によって空気吸込口２から本体ケース１内に吸い込んだ空気を、放熱器７、送風機５を介して空気吹出口３から本体ケース１外に吹き出すバイパス経路２１ｂとを備え、バイパス経路内には風量調整手段を設けたことにより、除湿装置の消費電力を低下することができる除湿装置を得られる。【選択図】図２
2020146663.tif 000002
【特許請求の範囲】
【請求項１】
空気吸込口と空気吹出口を有する本体ケースと、
圧縮機と放熱器と膨張器と吸熱器とを順に連結した冷凍サイクルと、
前記空気吸込口から吸い込んだ本体ケース外の空気を、前記冷凍サイクルを通過させた後に前記空気吹出口から前記本体ケース外に吹き出す送風機と、
第１熱交換風路を流れる空気と第２熱交換風路を流れる空気とを熱交換する熱交換器と、
前記送風機によって前記空気吸込口から前記本体ケース内に吸い込んだ空気を、前記熱交換器の前記第１熱交換風路、前記吸熱器、前記熱交換器の前記第２熱交換風路、前記放熱器、前記送風機を介して前記空気吹出口から前記本体ケース外に吹き出す除湿経路と、
前記送風機によって前記空気吸込口から前記本体ケース内に吸い込んだ空気を、前記放熱器、前記送風機を介して前記空気吹出口から前記本体ケース外に吹き出すバイパス経路とを備え、
バイパス経路内には風量調整手段を設けたことを特徴とした除湿装置。
【請求項２】
前記風量調整手段は、前記バイパス経路における前記放熱器と前記熱交換器との間の風路に配置されたことを特徴とした請求項１に記載の除湿装置。
【請求項３】
前記風量調整手段は、仰角方向に回動する軸部と開閉板を有し、前記軸部は前記熱交換器の第１熱交換風路流入口近傍に配置したことを特徴とした請求項２に記載の除湿装置。
【請求項４】
前記風量調整手段の前記開閉板の軸部より対向する距離は前記熱交換器の第１熱交換風路流入口の本体ケースにおける前後方向距離より短いことを特徴とした請求項３に記載の除湿装置。
【請求項５】
前記本体ケースに設けられた温度測定部と、
前記温度測定部の測定温度によって前記風量調整手段を制御する制御部とを備え、
前記制御部は、前記測定温度が所定の温度に応じて開閉度を変更することを特徴とした請求項１から４のいずれかに記載の除湿装置。
【請求項６】
前記制御部は、前記温度測定部の測定温度が常温の場合には、前記圧縮機、前記送風機を動作させるとともに、前記風量調整手段の開口を中開口とすることを特徴とした請求項５に記載の除湿装置。
【請求項７】
前記制御部は、前記温度測定部の測定温度が高温の場合には、前記圧縮機、前記送風機を動作させるとともに、前記風量調整手段の開口を大開口とすることを特徴とした請求項５または６に記載の除湿装置。
【請求項８】
前記制御部は、前記温度測定部の測定温度が低温の場合には、前記圧縮機、前記送風機を動作させるとともに、前記風量調整手段の開口を小開口とすることを特徴とした請求項５から７のいずれかに記載の除湿装置。
【請求項９】
前記制御部は、前記温度測定部の測定温度が前記吸熱器に霜が発生する温度の場合には、前記送風機を動作させるとともに、前記風量調整手段の開口を全閉とすることを特徴とした請求項８に記載の除湿装置。
【発明の詳細な説明】
【技術分野】
【０００１】
本発明は、居住空間などに用いられる除湿装置に関するものである。
【背景技術】
【０００２】
従来、この種の除湿装置は、吸気口と吹出口とを有する本体ケースと、この本体ケース内に設けられたヒートポンプ装置と熱交換器とを備えている。
【０００３】
ヒートポンプ装置は、圧縮機、放熱器、膨張部、吸熱器により形成され、吸気口から吸気した第１の空気が熱交換器内の第１の風路を流れて第２の空気となり、第２の空気が吹出口に向かって熱交換部内の第２の風路を流れて第１の空気と第２の空気とが熱交換を行う。
【０００４】
吸気口から熱交換器の第１の風路、吸熱器、熱交換器の第２の風路、放熱器を経て吹出口までの除湿経路内に送風部が備えられていた。（例えば、特許文献１参照）。
【先行技術文献】
【特許文献】
【０００５】
【特許文献１】特開２００５−２１４５３３号公報
【発明の概要】
【発明が解決しようとする課題】
【０００６】
このような従来の除湿装置で、より消費電力を下げるためには、放熱器を冷却する必要がある。ところが、放熱器の冷却のために送風量の増大をはかると、吸熱器に流入する空気も増大するため、吸熱器の顕熱交換量が増加し、吸気した空気が十分に除湿されずに排気される。更に、通風抵抗が大きい風路であるため、送風量を増大させるためには、送風機の出力が増大する。
【０００７】
本発明は、このような従来の課題を解決するものであり、除湿装置の消費電力を低下することができる除湿装置を提供することを目的としている。
【課題を解決するための手段】
【０００８】
そして、この目的を達成するために、本発明に係る除湿装置は、空気吸込口と空気吹出口を有する本体ケースと、圧縮機と放熱器と膨張器と吸熱器とを順に連結した冷凍サイクルと、前記空気吸込口から吸い込んだ本体ケース外の空気を、前記冷凍サイクルを通過させた後に前記空気吹出口から前記本体ケース外に吹き出す送風機と、第１熱交換風路と前記第１熱交換風路とは独立した第２熱交換風路とを備え、前記第１熱交換風路を流れる空気と前記第２熱交換風路を流れる空気とを熱交換する熱交換器と、前記送風機によって前記空気吸込口から前記本体ケース内に吸い込んだ空気を、前記熱交換器の前記第１熱交換風路、前記吸熱器、前記熱交換器の前記第２熱交換風路、前記放熱器、前記送風機を介して前記空気吹出口から前記本体ケース外に吹き出す除湿経路と、前記送風機によって前記空気吸込口から前記本体ケース内に吸い込んだ空気を、前記放熱器、前記送風機を介して前記空気吹出口から前記本体ケース外に吹き出すバイパス経路と、を備え、バイパス経路内には風量調整手段を設けたものであり、これにより所期の目的を達成するものである。
【発明の効果】
【０００９】
本発明によれば、本発明に係る除湿装置は、空気吸込口と空気吹出口を有する本体ケースと、圧縮機と放熱器と膨張器と吸熱器とを順に連結した冷凍サイクルと、前記空気吸込口から吸い込んだ本体ケース外の空気を、前記冷凍サイクルを通過させた後に前記空気吹出口から前記本体ケース外に吹き出す送風機と、第１熱交換風路を流れる空気と第２熱交換風路を流れる空気とを熱交換する熱交換器と、前記送風機によって前記空気吸込口から前記本体ケース内に吸い込んだ空気を、前記熱交換器の前記第１熱交換風路、前記吸熱器、前記熱交換器の前記第２熱交換風路、前記放熱器、前記送風機を介して前記空気吹出口から前記本体ケース外に吹き出す除湿経路と、前記送風機によって前記空気吸込口から前記本体ケース内に吸い込んだ空気を、前記放熱器、前記送風機を介して前記空気吹出口から前記本体ケース外に吹き出すバイパス経路とを備え、バイパス経路内には風量調整手段を設けた構成にしたことにより、消費電力を低減させることができる。
【図面の簡単な説明】
【００１０】
【図１】本発明の実施の形態１の除湿装置の外観図
【図２】同除湿装置のＡ−Ａ断面の概略を示す断面図
【図３】同除湿装置の熱交換器の構成を示す概略図
【図４】同除湿装置のＡ−Ａ断面の概略を示す断面図
【図５】同制御を示す図
【発明を実施するための形態】
【００１１】
本発明に係る除湿装置は、空気吸込口と空気吹出口を有する本体ケースと、圧縮機と放熱器と膨張器と吸熱器とを順に連結した冷凍サイクルと、前記空気吸込口から吸い込んだ本体ケース外の空気を、前記冷凍サイクルを通過させた後に前記空気吹出口から前記本体ケース外に吹き出す送風機と、第１熱交換風路を流れる空気と第２熱交換風路を流れる空気とを熱交換する熱交換器と、前記送風機によって前記空気吸込口から前記本体ケース内に吸い込んだ空気を、前記熱交換器の前記第１熱交換風路、前記吸熱器、前記熱交換器の前記第２熱交換風路、前記放熱器、前記送風機を介して前記空気吹出口から前記本体ケース外に吹き出す除湿経路と、前記送風機によって前記空気吸込口から前記本体ケース内に吸い込んだ空気を、前記放熱器、前記送風機を介して前記空気吹出口から前記本体ケース外に吹き出すバイパス経路とを備え、バイパス経路内には風量調整手段を設けた構成を有する。
【００１２】
これにより、除湿経路に流入する空気の量をほとんど変えることなく、放熱器に流れる空気を増加させることで、放熱器が冷却される。これとともに、風量調整手段により除湿経路とバイパス経路へ流入する空気吸込口から吸い込んだ本体ケース外の空気の比率を自在に変えることで、本体ケース外の空気環境や運転状況に応じた除湿経路とバイパス経路の最適な風量バランスを得る。これにより、除湿能力の低下を防ぎつつ、除湿装置の消費電力を下げることができる。また、バイパス風路は、除湿経路に比べ通風抵抗が少ない風路であるため、ファンの出力増加を軽減することができるので消費電力を低減させることができる。
【００１３】
また、前記風量調整手段は、前記バイパス経路における前記放熱器と前記熱交換器との間の風路に配置した構成にしてもよい。これにより、除湿経路を阻害することなくバイパス経路の風量を調整することが出来るため、結果として除湿能力の低下を防ぎつつ、除湿装置の消費電力を下げることができる。
【００１４】
また、前記風量調整手段は、仰角方向に回動する軸部と開閉板を有し、前記軸部は前記熱交換器の第１熱交換風路流入口近傍に配置した構成にしてもよい。これにより、開閉板は除湿経路とバイパス経路の仕切り板となるため、除湿経路とバイパス経路への空気の流入がスムーズとなり、結果として除湿能力の低下を防ぎつつ、除湿装置の消費電力を下げることができる。
【００１５】
また、前記風量調整手段の前記開閉板の軸部より対向する距離は前記熱交換器の第１熱交換風路流入口の本体ケースにおける前後方向距離より短い構成としてもよい。これにより、風量調整手段によりバイパス経路を最大開口とした場合、風量調整手段の開閉板は、熱交換器の第１熱交換風路流入口の一部を閉塞することで除湿経路の風量が減少し、より多くのバイパス経路の風量を得ることができ、結果として除湿装置の消費電力を下げることができる。
【００１６】
また、前記本体ケースに設けられた温度測定部と、前記温度測定部の測定温度によって前記風量調整手段を制御する制御部とを備え、前記制御部は、前記測定温度が所定の温度に応じて開閉度を変更する構成としてもよい。これにより、本体ケース外の空気環境や運転状況に応じた最適な除湿経路とバイパス経路の風量バランスを得ることで、結果として除湿能力の低下を防ぎつつ、除湿装置の消費電力を下げることができる。
【００１７】
また、制御部は、温度測定部の測定温度が常温の場合には、圧縮機、送風機を動作させるとともに、風量調整手段の開口を中開口とする構成としてもよい。これにより、バイパス経路により放熱器を冷却させるとともに、除湿経路においては必要除湿性能となるために必要な風量を得ることができ、結果として除湿装置の消費電力を下げつつ必要除湿能力を得ることができる。
【００１８】
また、制御部は、温度測定部の測定温度が低温の場合には、圧縮機、送風機を動作させるとともに、風量調整手段の開口を小開口とする構成としてもよい。これにより、除湿経路に流れる風量が増加し、吸熱器における冷媒蒸発量が増えるため、吸熱器へ着霜しにくい状態となり、結果として低温環境条件での除湿能力を向上する。
【００１９】
また、制御部は、温度測定部の測定温度が高温の場合には、圧縮機、送風機を動作させるとともに、風量調整手段の開口を大開口とする構成としてもよい。これにより、放熱器に流れる空気を増加させることで放熱器の冷却を促進させ、結果として除湿装置の消費電力を下げることができる。
【００２０】
また、制御部は、温度測定部の測定温度が吸熱器に霜が発生する温度の場合には、送風機を動作させるとともに、風量調整手段の開口を全閉とする構成としてもよい。これにより、空気吸込口から吸い込んだ本体ケース外の空気は全て除湿経路を流れることで除湿経路の風量が増加し、吸熱器へ流れる風量が大風量となり、より素早く吸熱器の温度を上げて吸熱器の着霜を溶解し、吸熱器着霜による風路の閉塞を防止し、結果として除湿能力を向上する。
【００２１】
以下、本発明の実施の形態について図面を参照しながら説明する。
【００２２】
（実施の形態１）
図１は、本実施の形態１の除湿装置の外観図であり、図２は図１内のＡ−Ａ断面における概略を示す断面図である。
【００２３】
図１、２に示すように、除湿装置の本体ケース１は箱形状で、背面には空気吸込口２を備え、天面の前面側には空気吹出口３を有している。
【００２４】
本体ケース１内には、冷凍サイクルと、熱交換器４と、送風機５とを備えている。
【００２５】
冷凍サイクルは、圧縮機６、放熱器７、膨張器８としてキャピラリーチューブ、吸熱器９とからなり、これらを、この順に冷媒配管１０で接続して形成している。この吸熱器９で除湿対象となる空気を冷却除湿するものである。放熱器７と吸熱器９とは、対向して配置されている。放熱器７は、本体ケース１における前面側に配置され、吸熱器９は、本体ケース１における背面側に配置されている。
【００２６】
図３は、熱交換器４の構成を示す概略図である。図２、３に示すように、熱交換器４は、伝熱板Ａ１１および伝熱板Ｂ１２を交互に積層することにより構成されており、それぞれの伝熱板には、積層した際に風路が構成できるようにリブ１３が設けられている。そして、鉛直方向に流れる第１熱交換風路１４と、水平に流れる第２熱交換風路１５とを構成し、この風路間でそれぞれの伝熱板を介して熱交換を行っている。熱交換器４は、伝熱板を積層した状態で下面が傾斜した立方体となり、放熱器７と吸熱器９との間で、吸熱器９から放熱器７への風路中に設けられている。
【００２７】
送風機５は、スクロール形状のケーシング部１６と、このケーシング部１６に固定されたモータ部１７と、このモータ部１７によって回転する羽根部１８とから形成している。ケーシング部１６は、吸込口１９と吐出口２０とを備えている。この吸込口１９は、放熱器７に対向している。吸熱器９と、熱交換器４の第２熱交換風路１５と、放熱器７と、送風機５とは、水平方向に一直線上に配置されている。すなわち、吸熱器９と、熱交換器４と、放熱器７と、吸込口１９とは、一直線上に風路を有するものである。
【００２８】
送風機５によって、矢印に示すように、空気吸込口２からに吸気した空気は、熱交換器４の第１熱交換風路１４へ流入して、すでに吸熱器９により冷却除湿された空気と熱交換して予冷されたのち、吸熱器９における熱交換器４の底面より下方に突出した部分を通過し、その後風向を反転させ、さらに吸熱器９の残りの部分を通って冷却除湿される。なお、熱交換器４の底面より下方に突出した部分は通過せず、吸熱器９に一度のみ通過する風路もある。また、吸熱器９は、熱交換器４の底面から突出させず、吸熱器９の下端と熱交換器４の底面の上端とを同じ高さにしてもよい。
【００２９】
冷却除湿された空気は熱交換器４の第２熱交換風路１５に流入し空気吸込口２から吸気した空気によって加熱され、放熱器７でさらに加熱され、送風機５によって機外に送風される。上記風路が、除湿を行う除湿経路２１ａとなる。
【００３０】
熱交換器４および吸熱器９の下方には、水受け手段２２が設置されている。水受け手段２２には、熱交換器４の第１熱交換風路１４および吸熱器９に生成される結露水が滴下する。すなわち、空気吸込口２から流入した空気が熱交換器４にて予冷される段階で、第１熱交換風路１４内で水分が結露して水滴となって滴下することがあるが、熱交換器４の下方に除湿経路２１ａを兼ねた水受け手段２２を配置して結露水を受ける構造となっている。
【００３１】
また、本体ケース１内の水受け手段２２の下部には、結露水を貯水するタンク２４を備え、水受け手段２２に設けた、たまった水滴をタンク２４に導出するドレン孔２５を通って、除湿水はタンク２４に回収される。
【００３２】
また、吸熱器９の熱交換器４の反対側（本体ケース１の空気吸込口２側）で、水受け手段２２の上方には、吸熱器カバー２３を設ける。水受け手段２２と吸熱器カバー２３は、除湿経路２１ａにおける熱交換器４の第１熱交換風路１４から吸熱器９までの風路の一部である。
【００３３】
除湿経路２１ａは、送風機５によって空気吸込口２から本体ケース１内に吸い込まれた空気が、熱交換器４の第１熱交換風路１４、吸熱器９、熱交換器４の第２熱交換風路１５、放熱器７、送風機５を介して空気吹出口３から本体ケース１外に吹き出る風路である。バイパス経路２１ｂは、送風機５によって空気吸込口２から本体ケース１内に吸い込まれた空気が、吸熱器９、放熱器７、送風機５を介して空気吹出口３から本体ケース１外に吹き出る風路である。
【００３４】
本実施形態における特徴は、バイパス経路２１ｂ内に風量調整手段２６を備えた構成としたことである。これにより、除湿経路２１ａに流入する空気の量をほとんど変えることなく、放熱器７に流れる空気を増加させることで、放熱器７が冷却される。これとともに、風量調整手段２６により除湿経路２１ａとバイパス経路２１ｂへ流入する空気吸込口２から吸い込んだ本体ケース１外の空気の比率を自在に変えることで、本体ケース１外の空気環境や運転状況に応じた除湿経路２１ａとバイパス経路２１ｂの最適な風量バランスを得ることができる。これにより、除湿能力の低下を防ぎつつ、除湿装置の消費電力を下げることができる。また、バイパス経路２１ｂは、除湿経路２１ａに比べ通風抵抗が少ない風路であるため、送風機５の出力増加を軽減することができるので消費電力を低減させることができる。
【００３５】
また、吸熱器９と、熱交換器４の第２熱交換風路１５と、放熱器７と、送風機５とは、本体ケース１における前後方向に一直線上に配置されている。風量調整手段２６は、バイパス経路２１ｂにおける放熱器７と熱交換器４との間の風路に配置した構成にしてもよい。
【００３６】
これにより、除湿経路２１ａを阻害することなくバイパス経路２１ｂの風量を調整することが出来るため、結果として除湿能力の低下を防ぎつつ、除湿装置の消費電力を下げることができる。
【００３７】
また、風量調整手段２６は、仰角方向に回動する軸部２６ａと横長四角形状の開閉板２６ｂを有し、軸部２６ａには開閉板を２６ｂ往復回動するモータ２６ｃを備えている。軸部２６ａは熱交換器４の第１熱交換風路１４流入口の放熱器７側近傍に配置した構成にしてもよい。
【００３８】
これにより、開閉板２６ｂは除湿経路２１ａとバイパス経路２１ｂの仕切り板となるため、除湿経路２１ａとバイパス経路２１ｂへの空気の流入がスムーズとなり、結果として除湿能力の低下を防ぎつつ、除湿装置の消費電力を下げることができる。
【００３９】
また、図４に示すように、風量調整手段２６の開閉板２６ｂの軸部２６ａより対向する距離は熱交換器４の第１熱交換風路１４流入口の本体ケース１における前後方向距離より短い構成としてもよい。
【００４０】
すなわち、風量調整手段２６によりバイパス経路２１ｂを最大開口とした場合、風量調整手段２６の開閉板２６ｂは、熱交換器４の第１熱交換風路１４流入口の一部を閉塞する。これにより除湿経路２１ａへの空気の流入が減少し、一方でより多くの空気がバイパス経路２１ｂへ流入し、放熱器７へ流れる空気が増加することとなる。結果として放熱器７の冷却を促進させ、除湿装置の消費電力を下げることができる。
【００４１】
また、本体ケース１に設けられた温度測定部２７と、温度測定部２７の測定温度によって風量調整手段２６を制御する制御部２８とを備え、制御部２８は、測定温度が所定の温度に応じて開閉度を変更する構成としてもよい。
【００４２】
これにより、本体ケース１外の空気環境や運転状況に応じた最適な除湿経路２１ａとバイパス経路２１ｂの風量バランスを得ることで、結果として除湿能力の低下を防ぎつつ、除湿装置の消費電力を下げることができる。
【００４３】
このような構成において、図５を用いて例えば季節に応じた運転モードについて説明する。運転モードは、常温除湿モードと、低温除湿モードと、高温除湿モードと、除霜モードと、衣類乾燥モードとを有している。風量調整手段２６は、回転駆動する構成としているので、空気吸込口２から放熱器７に至るバイパス経路２１ｂを大開口、中開口、小開口、全閉状態に切り替えることができるようになっている。大開口、中開口、小開口の順に空気吸込口２から放熱器７に至るバイパス経路２１ｂの断面積が小さく（風路抵抗が大きく）なり、全閉状態では、空気吸込口２から放熱器７に至るバイパス経路２１ｂは、塞がれる。
【００４４】
まず、温度測定部２７の測定温度が常温の場合には、圧縮機６、送風機５をＯＮ状態とし、風量調整手段２６は中開口状態とする。これが、常温除湿モードである。なお、常温の一例は、２０度から３０度までの温度である。
【００４５】
まずは、この常温除湿モードにおいては中開口状態とする。これによりバイパス経路２１ｂにより放熱器７を冷却させるとともに、除湿経路２１ａにおいては必要除湿性能となるために必要な風量を得ることができ、結果として除湿装置の消費電力を下げつつ必要除湿能力を得ることができる。そして、このモードでは省エネルギーで必要除湿能力を得ることができる。
【００４６】
次に、衣類を素早く乾燥したいときの衣類乾燥モードにおいては、圧縮機６をＯＮ状態にするとともに送風機５を最大出力でＯＮ状態にし、さらに風量調整手段２６は大開口状態とする。このように衣類を素早く乾燥したいときは送風機５を最大出力状態、風量調整手段２６を大開口状態とすれば、放熱器７に供給される空気が増加し、また除湿経路２１ａにおいては常温除湿モードと同等の空気流量を供給することで吸熱器９と熱交換器４の顕熱交換量が増加するのを抑え、吸気した空気が十分に除湿された状態で排気される。結果として除湿能力の低下を防ぐとともに、吹出し風量が最大となるため、衣類に大量の空気が供給されることにより、衣類乾燥能力が向上する。
【００４７】
次に冬季の低温環境条件、温度測定部２７の測定温度が低温の場合には、圧縮機６、送風機５をＯＮ状態とし、風量調整手段２６は小開口状態とする。これが、低温除湿モードである。すなわち、除湿経路２１ａに流れる風量が増加し、吸熱器９における冷媒蒸発量が増えるため、吸熱器９へ着霜しにくい状態となり、結果として低温環境条件での除湿能力を向上する。なお、低温の一例は、１０度から２０度までの温度である。
【００４８】
次に夏季の高温環境条件、温度測定部２７の測定温度が高温の場合には、圧縮機６、送風機５をＯＮ状態とし、風量調整手段２６は大開口状態とする。これが、高温除湿モードである。本体ケース１外の温度が上昇して、空気吸込口２から本体ケース１内に流入する空気の水分量が増加すると、吸熱器９の冷媒蒸発が促進され、気化領域が増加する。すると、熱交換器４に十分に冷却されていない空気が通過することとなる。風量調整手段２６を大開口状態とすることで除湿経路２１ａに流入する空気が減少し、吸熱器９の風量が低下し、吸熱器９が必要以上に温度上昇することを防ぐことができる。また、一方でバイパス経路２１ｂに流入する空気が増加することで放熱器７を通過する風量が増加し放熱器７の冷媒圧力を低下させることができる。結果として、高温環境条件での除湿装置の消費電力を下げるとともに、除湿性能を向上することができる。なお、高温の一例は、３０度から４０度までの温度である。
【００４９】
次に、冬季の更に低温時においては、温度測定部２７の測定温度が吸熱器に霜が発生する温度以下を検知した場合、自動的に除霜モードで運転する。このときは、圧縮機６はＯＦＦ、送風機５はＯＮ状態とし、さらに風量調整手段２６は全閉状態とする。すなわち、更に低温時においては圧縮機６を停止することに加え、風量調整手段２６は全閉状態とすることで、空気吸込口２から吸い込んだ本体ケース１外の空気は全て除湿経路２１ａを流れることで除湿経路２１ａの風量が増加する。これにより、吸熱器９へ流れる風量が大風量となり、より素早く吸熱器９の温度を上げて吸熱器９の着霜を溶解し、吸熱器着霜による風路の閉塞を防止する。但し、除霜モード運転では除湿されないため所定時間除霜モードで運転後は除霜モード運転に入る前に設定されていた運転モードに戻る。結果として更に低温時における除湿能力を向上する。なお、温度測定部２７の測定温度が吸熱器に霜が発生する温度の一例は、１度から１０度までの温度である。
【産業上の利用可能性】
【００５０】
本発明に係る除湿装置は、除湿性能の向上を可能とするものであるので、居室空間などで使用される除湿装置等として有用である。
【符号の説明】
【００５１】
１    本体ケース
２    空気吸込口
３    空気吹出口
４    熱交換器
５    送風機
６    圧縮機
７    放熱器
８    膨張器
９    吸熱器
１０    冷媒配管
１１    伝熱板Ａ
１２    伝熱板Ｂ
１３    リブ
１４    第１熱交換風路
１５    第２熱交換風路
１６    ケーシング部
１７    モータ部
１８    羽根部
１９    吸込口
２０    吐出口
２１ａ    除湿経路
２１ｂ    バイパス経路
２２    水受け手段
２３    吸熱器カバー
２４    タンク
２５    ドレン孔
２６    風量調整手段
２６ａ    軸部
２６ｂ    開閉板
２６ｃ    モータ
２７    温度測定部
２８    制御部
【図１】
2020146663.tif 000003
【図２】
2020146663.tif 000004
【図３】
2020146663.tif 000005
【図４】
2020146663.tif 000006
【図５】
2020146663.tif 000007